(57)【要約】  従来からの問題点が解決された、自動車排出ガス以外の種々の排出ガスから悪臭を除去する方法を提供することを目的とする。本発明は強アルカリ電解水を含む水溶液を使った排ガス処理装置において、強アルカリ電解水を含みＰＨが９以上で、且つＯＲＰは０mV以下に保たれた水に、排ガスを直接接触させ混合させることを特徴とする排ガスの処理方法である。
2013140653.tif 000002
【特許請求の範囲】
【請求項１】
強アルカリ電解水を含む水を使った排ガス処理装置において、強アルカリ電解水を含みＰＨが９以上で、且つＯＲＰは０mV以下に保たれた水に、排ガスを直接接触させ混合させることを特徴とする排ガスの処理方法。
【請求項２】
排ガスを接触させた後の強アルカリ電解水を含む水に、ＰＨが９．５以上で、且つＯＲＰは０mVから−９６０mVである強アルカリ電解水を添加して、前記ＰＨが９以上で、且つＯＲＰは０mV以下に保たれた水とし、これを循環させ再利用することを特徴とする請求項１に記載の排ガスの処理方法。
【請求項３】
前記添加する強アルカリ電解水がＰＨ１１から１４、且つＯＲＰが−２００mVから−９６０mVであることを特徴とする請求項２記載の排ガスの処理方法。
【請求項４】
排ガスを接触させた後の強アルカリ電解水を含む水から、析出物を分離し回収することを特徴とする、請求項１〜３のいずれか１項に記載の排ガスの処理方法。
【請求項５】
排ガスを高速気流に乗せて強アルカリ電解水を含みＰＨが９以上で、且つＯＲＰが０mV以下に保たれた水に直接高速で接触させ衝突させて強制撹拌混合させた後、排ガスを直接接触させた後の強アルカリ電解水を含む水から、析出物を分離し回収することを特徴とする、請求項１から４のいずれか１項に記載の排ガスの処理方法。  
【請求項６】
排ガスが１００℃から３００℃の温度を有することを特徴とする、請求項１から５のいずれか１項に記載の排ガスの処理方法。
【請求項７】
請求項１〜６のいずれか１項に記載の排ガスの処理方法を実施するための排ガス処理装置であって、強アルカリ電解水を含む水を貯留する貯留槽（１）と、該貯留槽（１）の上部に設けられた排ガスを導入するケーシング（２４）と、該ケーシング（２４）内に排ガスを導入するための排気フアン（吸引ファン）（８）と、該ケーシング（２４）内に導入された排ガスを該貯留槽（１）に貯留された強アルカリ電解水を含む水と直接接触させ混合させる接触・混合部とから構成されることを特徴とする排ガス処理装置。
【請求項８】
前記貯留槽（１）に強アルカリ電解水を供給する強アルカリ電解水生成機（１３）を備えていることを特徴とする請求項７に記載の排ガス処理装置。
【請求項９】
前記接触・混合部が、その頂部に排気フアン（吸引ファン）（８）が接続され、その内壁部に下向きに傾斜し突出して設けた衝突板（４）を有する筒状のスクラバー（２）と、そのスクラバー（２）の下端部（５）近傍に設けた反射板（又は、渦巻き板）（６）とから構成され、該スクラバー（２）はその下端部（５）が前記貯留槽（１）に貯留された強アルカリ電解水を含む水の水面と僅かな隙間（３）を形成して前記貯留槽（１）上に設置されていることを特徴とする請求項７又は８に記載の排ガス処理装置。
【請求項１０】
前記接触・混合部が、前記貯留槽（１）に貯留された強アルカリ電解水を含む水をポンプ（１９）を介して散布するシャワーノズル（２０）から構成されることを特徴とする請求項７又は８に記載の排ガス処理装置。
【請求項１１】
前記接触・混合部が、前記貯留槽（１）に貯留された強アルカリ電解水を含む水に排ガスを乗せた空気流（１６）を導入してバブリンクするダクト（２３）から構成されることを特徴とする請求項７又は８に記載の排ガス処理装置。
【発明の詳細な説明】
【技術分野】
【０００１】
本発明は塗装工程等から排出される排ガスの処理方法に関する。
【背景技術】
【０００２】
従来から排ガスに含まれる酸性物質を除去するための薬剤投入方式、散水シャワー方式等のいわゆる湿式洗浄方法においては、排ガスを苛性ソーダ溶液等に通し、中和反応で除去する方法が一般的に行われている。
一方、排ガスの悪臭対策としては、洗浄法、吸着法、燃焼法、凝縮法、生物脱臭法、オゾン脱臭法、光触媒脱臭法、プラズマ脱臭法、消・脱臭剤法などがある。【０００３】
対象となる排ガスも極めて多岐にわたるが、畜産農業．肥料・飼料製造工場．食料品製造工場．ゴム工場．塗装・印刷工場．木工工場．鋳物工場．ごみ処理場．し尿処理場．食肉市場．コンポスト化施設．浄化槽．クリーニング工場．飲食店舗など、これらの企業から排出される排ガスは悪臭対策が問題になっている。【０００４】
排ガスからの悪臭の発生にはプロセスの複雑さもあり、前出の方法による対策が困難なケースが多く、問題解決には至っていないのが現状である。
特に高温下での塗装焼付け工程などからの排ガスは悪臭の除去が困難で、周辺地域からの苦情、トラブルが絶えず、塗装事業者にとって事業存続の基盤を揺るがす問題になろうとしている。【０００５】
しかし、排ガスからの悪臭の原因物質には様々な種類が有り、種類の異なる原因物質全てに効果的な方法は無い。
また、仮にある原因物質と相性の良い方式が有ったとしてもその効果を発揮するためには精度良く管理する必要が有るなど多くの難題がある。【０００６】
例えば、洗浄法は多くの分野で使用されているが、とくに動植物腐敗臭や化学工場などの単一成分の悪臭の除去に適しているが、有機溶剤臭や焦げ臭などの除去には一般に適さないといわれている。【０００７】
従来から洗浄法は単独で使用されているが他の脱臭方法と組合せて使用される場合も多く、高濃度の臭気を洗浄法＋吸着法で脱臭する方法（特許文献１参照）はよく知られている。
また、脱臭装置の前処理としては、気体の冷却、加湿、ダストやミストの捕集などの目的で使用されることも多い。
しかし、いずれの脱臭方法、脱臭装置においても目標とする脱臭性能を継続して確保するには、適切な運転管理や保守が大切である。
このように、各種の排ガスの悪臭対策には数多くの方法が知られているが種々の問題が存在する。
【先行技術文献】
【特許文献】
【０００８】
【特許文献１】特開２０１０−０７５８７９号公報
【発明の概要】
【発明が解決しようとする課題】
【０００９】
既に述べたように、従来の薬剤投入方式、散水シャワー方式等のいわゆる湿式洗浄方法は、排ガスを苛性ソーダ溶液等に通し、中和反応で除去する方式であるが、このような方法では多量な薬品を水に溶解して使い、機器管理にも多分な装置や労力にコストがかかっていた。
本発明は、このような従来からの問題を解決することができる、自動車排出ガス以外の色々な排出ガスから悪臭を除去する方法、即ち畜産農業．肥料・飼料製造工場．食料品製造工場．ゴム工場．塗装・印刷工場．木工工場．鋳物工場．ごみ処理場．し尿処理場．食肉市場．コンポスト化施設．浄化槽．クリーニング工場．飲食店舗等の企業から排出される排ガスからの悪臭を除去する方法を提供することを目的とするものである。
【課題を解決するための手段】
【００１０】
本発明の課題を解決するための手段は、具体的には以下の通りのものである。
（１）強アルカリ電解水を含む水を使った排ガス処理装置において、強アルカリ電解水を含みＰＨが９以上で、且つＯＲＰは０mV以下に保たれた水に、排ガスを直接接触させることを特徴とする排ガスの処理方法。
（２）排ガスを接触させた後の強アルカリ電解水を含む水に、ＰＨが９．５以上で、且つＯＲＰは０mVから−９６０mVである強アルカリ電解水を添加して、前記ＰＨが９以上で、且つＯＲＰは０mV以下に保たれた水とし、これを循環させ再利用することを特徴とする上記（１）に記載の排ガスの処理方法。
（３）前記添加する強アルカリ電解水がＰＨ１１から１４、且つＯＲＰが−２００mVから−９６０mVであることを特徴とする上記（２）記載の排ガスの処理方法。
（４）排ガスを接触させた後の強アルカリ電解水を含む水から、析出物を分離し回収することを特徴とする、上記（１）〜（３）のいずれか１項に記載の排ガスの処理方法。
（５）排ガスを高速気流に乗せて強アルカリ電解水を含みＰＨが９以上で、且つＯＲＰが０mV以下に保たれた水に直接高速で接触させ衝突させて強制撹拌混合させた後、排ガスを直接接触させた後の強アルカリ電解水を含む水から、析出物を分離し回収することを特徴とする、上記（１）〜（４）のいずれか１項に記載の排ガスの処理方法。
（６）排ガスが１００℃から３００℃の温度を有することを特徴とする、上記（１）〜（５）のいずれか１項に記載の排ガスの処理方法。
（７）上記（１）〜（６）のいずれか１項に記載の排ガスの処理方法を実施するための排ガス処理装置であって、強アルカリ電解水を含む水を貯留する貯留槽（１）と、該貯留槽（１）の上部に設けられた排ガスを導入するケーシング（２４）と、該ケーシング（２４）内に排ガスを導入するための排気フアン（吸引ファン）（８）と、該ケーシング（２４）内に導入された排ガスを該貯留槽（１）に貯留された強アルカリ電解水を含む水と直接接触させ混合させる接触・混合部とから構成されることを特徴とする排ガス処理装置。
（８）前記貯留槽（１）に強アルカリ電解水を供給する強アルカリ電解水生成機（１３）を備えていることを特徴とする上記（７）に記載の排ガス処理装置。
（９）前記接触・混合部が、その頂部に排気フアン（吸引ファン）（８）が接続され、その内壁部に下向きに傾斜し突出して設けた衝突板（４）を有する筒状のスクラバー（２）と、そのスクラバー（２）の下端部（５）近傍に設けた反射板（又は、渦巻き板）（６）とから構成され、該スクラバー（２）はその下端部（５）が前記貯留槽（１）に貯留された強アルカリ電解水を含む水の水面と僅かな隙間（３）を形成して前記貯留槽（１）上に設置されていることを特徴とする上記（７）又は（８）に記載の排ガス処理装置。
（１０）前記接触・混合部が、前記貯留槽（１）に貯留された強アルカリ電解水を含む水をポンプ（１９）を介して散布するシャワーノズル（２０）から構成されることを特徴とする上記（７）又は（８）に記載の排ガス処理装置。
（１１）前記接触・混合部が、が、前記貯留槽（１）に貯留された強アルカリ電解水を含む水に排ガスを乗せた空気流（１６）を導入してバブリンクするダクト（２３）から構成されることを特徴とする上記（７）又は（８）に記載の排ガス処理装置。【００１１】
本願発明の排ガスの脱臭方法は、自動車排出ガス以外の上記した色々な排出ガス全てをその対象とするものであるが、中でも畜産農業．肥料・飼料製造工場．食料品製造工場．ゴム工場．塗装・印刷工場．木工工場．鋳物工場．ごみ処理場．し尿処理場．食肉市場．コンポスト化施設．浄化槽．クリーニング工場．飲食店舗等の企業工程からの排ガス、或いは塗装工程、特に焼付け塗装工程からの排ガスの脱臭方法として有効である。
以下では、焼付け塗装工程からの排ガスの脱臭方法を例にとり説明する。
該焼付け塗装工程での臭気は、主として排ガス中に含まれる塗料成分（有機成分単独、または有機成分と無機成分の混合物）、溶剤、工程で生じるアルデヒド成分（悪臭防止法で規定）に依るとされている。我々は該焼付け塗装工程での悪臭対策について鋭意研究を重ね、該排ガスを強アルカリ電解水を含む水に接触させることによりそれに含有される塗料成分（有機成分単独、または有機成分と無機成分の混合物）をスラッジとして析出させ、分離せしめるとともに、併せて該排ガスの悪臭も極めて効果的に除去する方法を見出した。
さらに本発明では焼付け塗装工程からの排ガスを強アルカリ電解水を含む水に接触させるとき、強アルカリ電解水を含む水が高温の排ガスの温度を吸収し低温化することにより併せて該排ガスの悪臭も極めて効果的に除去することを見出した。【００１２】
本発明によれば、該排ガスを、強アルカリ電解水を含みＰＨが９以上で、且つＯＲＰは０mV以下に保たれた水と接触させ、該排ガス中の塗料成分（有機成分単独、または有機成分と無機成分の混合物）を析出、分離せしめる。
その際、該排ガスを強アルカリ電解水を含みＰＨが９以上で、且つＯＲＰが０mV以下に保たれた水に直接高速で接触させ衝突させ強制撹拌混合させて、該排ガス中から塗料成分（有機成分単独、または有機成分と無機成分の混合物）を析出、分離せしめることが特に効果的である。【００１３】
また、前記排ガスと接触する強アルカリ電解水を含みＰＨが９以上で、且つＯＲＰは０mV以下に保たれた水に、添加剤として、炭素数が１〜１２のアルコール、特にイソプロピルアルコールを、該水100部（重量）に対し0.01〜10部（重量）添加すると、前記析出物の器壁への付着及び前記析出物による配管詰まり防止に有効である。
【発明の効果】
【００１４】
本願発明の排ガスの脱臭方法によれば、該排ガス中から塗料成分（有機成分単独、または有機成分と無機成分の混合物）を析出、分離せしめると同時に該排ガスの悪臭も完全に除去されるという今までの処理方法では全く予想できない効果を発揮することができる（尚、該排ガス中の悪臭の原因の1つとなるアルデヒドは前記アルカリ電解水を含む水で処理される際にアルドール縮合反応により高分子化して前記析出物中に取り込まれることにより臭気が除去されると推定される）。【００１５】
この効果により、特に高温下での塗装焼付けからの排ガスの悪臭による、周辺地域からの苦情、トラブルは完全に解決されることとなるので、特に塗装業界において本発明の果たす役割は極めて大きい。
【図面の簡単な説明】
【００１６】
【図１】本発明の一つの実施形態に係る排ガス処理装置の断面及び強アルカリイオン水生成装置を示す図。
【図２】本発明の別の実施形態に係るシャワー式排ガス処理装置の一例を示す図。
【図３】本発明の別の実施形態に係るバブリング式排ガス処理装置の一例を示す図。
【図４】析出物の沈殿状態を示す図。
【発明を実施するための形態】
【００１７】
本発明者は排ガス捕集用循環水として、強アルカリ電解水を添加した、ＰＨが９以上でＯＲＰは０mV以下に保たれた水を用いることにより、特に焼き付け塗装工程からの排ガスの場合、排ガス中から塗料成分（有機成分単独、または有機成分と無機成分の混合物）を析出させ、しかも排ガスの悪臭も完全に除去される処理方法を見出して、本発明を完成させたものである。
本発明者が鋭意検討したところでは、従来の循環水（水道水）での捕集とは異なり、特定の作用を有する強アルカリ電解水を含む水を用いることによって、特に焼き付け塗装工程からの排ガスの場合、効率的かつ有効に排ガス中から塗料成分（有機成分単独、または有機成分と無機成分の混合物）を析出させ分別することが出来、しかも排ガスの悪臭も完全に除去可能となったものである。
【００１８】
本発明においては排ガスと接触する強アルカリ電解水を含む水はＰＨが9以上、好ましくは１１以上、最も好ましくは１２以上である。ＰＨの上限は１４程度とされており、この程度のＰＨまでは使用可能である。
またそのＯＲＰは０mV以下、好ましくは０mVから−９６０mV、更に好ましくは−２００mVから−９６０mVである必要がある。
ＰＨが9未満、又はＯＲＰは０mV超では排ガスと接触しても排ガス中から塗料成分（有機成分単独、または有機成分と無機成分の混合物）を析出させる能力が不足し充分に分離できない、また悪臭も完全に除去できないため好ましくない。
ここでＰＨは水の酸性・アルカリ性を示す尺度であり、ＯＲＰとは酸化還元電位の単位である。ある物質のＯＲＰが０mV以下であると還元力が有り、０mV超では酸化力を持つ、いずれも市販の計測器が使用可能である。
本発明者は計測器としては東亜ディーケーケー株式会社製ＨＭ−３０Ｐ型のＰＨ計とＲＭ−３０Ｐ型のＯＲＰ計を用いて測定した。
【００１９】
本発明では、排ガスは排気フアン（吸引フアン）（図１の８参照）により吸引・捕集され、強アルカリ電解水を含む水と直接高速で接触させ衝突させて撹拌されることにより反応し、後述するメカニズムにより排ガス中から塗料成分（有機成分単独、または有機成分と無機成分の混合物）が分離・回収され、また悪臭も完全に除去される。
【００２０】
本発明に用いる強アルカリ電解水を含む水は循環・再利用することが経済的に好ましい。また前記塗料成分（有機成分単独、または有機成分と無機成分の混合物）を析出させ分離した後であっても微細な粒状の成分が強アルカリ電解水を含む水に含まれることがあるが特に問題はない。
【００２１】
本発明においては、排ガスと強アルカリ電解水を含む水とを直接接触させるだけでなく、直接高速で接触させ衝突させて攪拌させることが前記塗料成分（有機成分単独、または有機成分と無機成分の混合物）を析出・分離し、同時に悪臭を除去する上で望ましい。 
例えば、排ガスは排気フアン（吸引ファン）（図１の８参照）にて発生させた高速気流に捕集され、好ましくは秒速１０ｍ／秒以上の高速の気流に乗せられて強アルカリ電解水を含む水と直接高速で接触させ衝突させて攪拌させることにより、排ガス中の塗料成分（有機成分単独、または有機成分と無機成分の混合物）の分離が生じる。（図１参照）
排ガスには有機物や無機フィラーから構成されている微粒子が含有されているが、この排ガスは脱臭装置の排気フアン（吸引ファン）（図１の８参照）によって作り出される気流（図１の１６参照）に乗って撹拌混合部（図１の１８参照）に引き寄せられ、この撹拌混合部で生じるより好ましくは３０ｍ／秒以上の高速気流の働きにより（尚、この際前記気流１６は、狭い隙間３を通過する時に高速化されレイノルズ効果により乱流となるとともに負圧を発生させて前記強アルカリ電解水を含む水を吸い上げ上昇させる）、  排ガスと強アルカリ電解水を含む水とが直接高速で接触させ衝突させられることにより、強制撹拌混合が創出され、強アルカリ電解水を含む水は排ガスに強くアタックし、排ガスから塗料成分（有機成分単独、または有機成分と無機成分の混合物）を析出させ、同時に悪臭を除去する。
【００２２】
次に強アルカリ電解水について述べる。
本発明に使用する通常の強アルカリ電解水生成機で得られる強アルカリ電解水は、そのＰＨが９．５以上で、且つＯＲＰは０mVから−９６０mV、好ましくはＰＨが１１から１４、且つＯＲＰが−２００mVから−９６０mVであることが必要である。ＯＲＰは−９６０mV以下であっても良い。
強アルカリ電解水は水と電気によって製造(生成)され、原理・製法は広く公開されていて周知の技術である。
強アルカリ電解水を生成する際に用いる電解質として好適な電解質は炭酸カリウムであ  り、この水溶液を原水として強アルカリ電解水生成機に供給される。炭酸カリウムを電解質として使用するが、生成された強アルカリ電解水には炭酸カリウムは含まれない。化学合成物質を全く含まれないためＢＯＤ（生物化学的酸素要求量）、ＣＯＤ（化学的酸素要求量）、Ｎ−ヘキサン（油含有量）、ＳＳ（浮遊性物質）の値はゼロである。
【００２３】
本発明に使用する強アルカリ電解水は、ＰＨとＯＲＰは各々独自にコントロールが可能なものであり、その特定ＰＨと特定ＯＲＰを有することにより電子を多量に有し強力な分子間引力（電子剥離作用）が有り、その作用によって殺菌効果を有し、また溶存水素量が多く溶存酸素量は少ないため電解水自身の腐敗を防止し消臭作用がある。
なお、アルカリ電解水の温度は４０度〜７０度が好ましいが、４０度以下でもよい。
本発明の排ガスの処理方法によれば、周辺環境に悪臭を拡散することがなく、よりよい作業環境及び周辺環境を提供することが可能である。
また、析出、分離した塗料成分（有機成分単独、または有機成分と無機成分の混合物）は、手動、もしくは自動的に分離でき、分離した成分は乾燥後、セメントなどの副材料に利用できる。
【００２４】
以下、本発明の実施形態を図１〜４に基づいて説明する。
【実施例１】
【００２５】
メラミン系樹脂焼付け塗装排ガス（以下、単に排ガスという）を、図１の排ガス処理装置を用いて、強アルカリ電解水を含みＰＨが9.5〜１０で、且つＯＲＰが−２００mV〜−９６０mVに保たれた水を使用して8時間連続処理したところ、処理後の該排ガスは臭気が全く感じられないほどの脱臭効果が認められた。
また、析出、分離した塗料成分（有機成分単独、有機成分と無機成分の混合物）は、少し器壁に付着していたが、沈殿物として容易に回収された。この沈殿物も臭気が感じられなかった。
次に、図１の排ガス処理装置について詳しく説明する。【００２６】
図１において排ガス処理装置１７は、大きくは循環水１２（強アルカリ電解水を含みＰＨが9.5〜１０で、且つＯＲＰが−２００mV〜−９６０mVに保たれた水）を貯えた貯留槽１とスクラバー（気液分離装置）２と分離槽９から構成されている。【００２７】
排ガス処理装置１７では、排気フアン（吸引ファン）８より空気を排気することでスクラバー２の中は負圧になり、スクラバー（気液分離装置）２の下端部５と循環水１２の水面とで形成される僅かな隙間３を通して矢印で示す高速の空気流１６が生じる。【００２８】
焼付け塗装工程からの排ガスはこの気流１６に乗り、スクラバー（気液分離装置）２の下端部５と循環水１２の水面とで形成される僅かな隙間３からスクラバー（気液分離装置）２に引き込まれ（このとき、上記気流１６は上記僅かな隙間３を通過する際１０メートル／秒以上に達する高速気流となる）、その上記隙間３近傍に設けた反射板６（又は、渦巻き板）により形成された撹拌混合部１８で、１０メートル／秒以上に達するスピードの高速気流と循環水１２と排ガスとがその反射板６（又は、渦巻き板）に沿い強烈に回転しながら強制撹拌混合される。【００２９】
さらに高速気流に運ばれた排ガスが混合された循環水１２は、スクラバー（気液分離装置）２内の衝突板４に衝突し、勢いが衰え、塗料成分（有機成分単独、有機成分と無機成分の混合物）を捕集した循環水１２は水滴となって落下し、スクラバー（気液分離装置）２の落とし口７から分離槽９に流れる。その工程の間に有機成分や有機成分と無機成分の混合物（以下、スラッジという）が析出分離した排ガスは排気フアン（吸引ファン）８によって大気に排気放出される。【００３０】
分離槽９には堰１０が設けられている。堰１０は水槽１の底に取り付けられ、上部は水面より水深の１／４程没している。そのため沈降した比重の重い有機成分と無機成分の混合物のスラッジは水流が堰１０に遮られてその手前に集まり、一方浮上した比重の軽い有機成分のスラッジは流れに乗って分離槽９の内壁面に集まる。【００３１】
分離槽９の下流には貯留槽１と連通する配管１１を設けこれを経由して排ガス処理後の強アルカリ電解水を含む水は前記貯留槽１に戻り再度捕集用循環水１２とする。【００３２】
分離槽９では、沈降体に変性した比重の重い前記スラッジは堰１０に、浮遊体に変性した比重の軽い前記スラッジは分離槽９の内壁面に留まり堆積するので、それを自動もしくは手動にて排出する。【００３３】
図１では、撹拌混合部１８で強制撹拌混合作用が順調に創出されるために、貯留槽１の循環水１２の水面を制御し上記隙間３を調整し、併せて循環水１２のＰＨとＯＲＰを調整するため、強アルカリ電解水生成機１３から強アルカリ電解水２６を適宜供給している。【００３４】
焼付け塗装工程からの排ガスの強アルカリ電解水２６を含む水（即ち、循環水１２）による分離メカニズムについては、以下のように考えられる。
１）焼付け塗装工程からの排ガス中の有機成分単独または有機成分と無機成分の混合物が強アルカリ電解水２６を含む水（即ち、循環水１２）のアタックを受け、該排ガスから析出され分離される。
尚、該排ガス中の悪臭の原因となるアルデヒドは、前記アルカリ電解水を含む水で処理される際にアルドール縮合反応により高分子化して、前記析出物中に取り込まれることにより臭気が除去されると推定される。【００３５】
本発明者が前記、段落００２５から００３４で説明した通りに図１構造の排ガス処理装置１７を使用して排ガスを処理した後、スクラバー（気液分離装置）２の落とし口７近傍の分離槽９の底部付近より採取した循環水１２を観察したところ、有機成分と無機成分の混合物に析出され沈殿物となっている事が観察された。（図４参照）【００３６】
沈殿物２７を分析したところSi、S、Ca、Cr、Fe、Cu、Znなどの成分が確認された。
表１は焼付け塗装工程からの排ガスから析出したスラッジの含有金属測定値である。
【表１】
2013140653.tif 000003
【００３７】
また、図１では、本発明の強アルカリ電解水を含む水を用いるので、貯留槽１中の循環水１２は腐敗が発生せず、周辺環境に悪臭を拡散することがなく、よりよい作業環境及び周辺環境を提供することができ、クローズドなシステムが可能となり、年間を通して循環水１２の交換を必要としなくなり経費負担は減少した。【００３８】
排ガス処理に強アルカリ電解水２６を含む水を用いると、これが焼付け塗装工程からの排ガスに強くアタックし、排ガス中から有機成分単独または有機成分と無機成分の混合物を析出して沈殿物となる。
【実施例２】
【００３９】
図２のシャワー式排ガス処理装置を用いる以外は実施例１と同様にして処理したところ、実施例１よりは若干劣るが処理後の該排ガスは臭気が感じられないほどの脱臭効果が認められた。
また、析出、分離した塗料成分（有機成分と無機成分の混合物）は、少し器壁に付着していたが、沈殿物として容易に回収された。この沈殿物も臭気が感じられなかった。
［比較例１］【００４０】
強アルカリ電解水の代わりに水道水を用いる以外、実施例１のとおり実施したところ、析出物はけん濁状態であり、臭気があり、脱臭効果が認められなかった。
［比較例２］
強アルカリ電解水を含みＰＨが9.5〜１０で、且つＯＲＰが＋２００mVに保たれた水を用いる以外、実施例１のとおり実施したところ、析出物はけん濁状態であり、臭気があり、脱臭効果が認められなかった。
【実施例３】
【００４１】
添加剤としてイソプロピルアルコールを強アルカリ電解水を含む水100部（重量）に対し1部（重量）用いる以外、実施例１のとおり実施したところ、実施例１の効果に加えて生成する析出物の器壁へ付着が著しく軽減できた。
【産業上の利用可能性】
【００４２】
臭気の大気中への拡散を抑えるという観点から、脱臭対策は必須の手段である。有機溶剤などの悪臭物質は、捕集にコストがかかるため中小企業では脱臭対策が進んでいないのが現状である。本発明は管理や維持において従来の排ガス処理方法より格段に有効であるため、特に焼付け塗装工程からの排ガスの脱臭方法として極めて大きな効果が期待できる。
【符号の説明】
【００４３】
１  貯留槽                                  
２  スクラバー(気液分離装置)
３  隙間                              
４  衝突板          
５  下端部  
６  反射板                          
７  落とし口
８  排気フアン（吸引ファン）
９  分離槽
１０  堰                  
１１  配管
１２  循環水
１３  強アルカリ電解水生成機
１４  原水
１５  スラッジ
１６  排ガスを乗せた空気流
１７  排ガス処理装置
１８  撹拌混合部
１９  ポンプ    
２０  シャワーノズル              
２１  シャワー                  
２２  気水分離膜          
２３  ダクト                  
２４  ケーシング  
２５  シャワーゾーン                    
２６  強アルカリ電解水
２７  有機成分と無機成分の混合物の析出物
２８  容器  
２９  強アルカリ電解水を含む水                            
【図１】
2013140653.tif 000004
【図２】
2013140653.tif 000005
【図３】
2013140653.tif 000006
【図４】
2013140653.tif 000007
【国際調査報告】
2013140653.tif 000008
2013140653.tif 000009
2013140653.tif 000010
2013140653.tif 000011